【事件の表示】
　特許第２９９９９１７号「景品払出機用カートリッジ」の請求項１、２に係る特許に対する特許異議の申立てについて、次のとおり決定する。
【結　論】
　特許第２９９９９１７号の請求項１ないし２に係る特許を維持する。
【理　由】
１．本件発明
　本件特許第２９９９９１７号（平成６年４月１２日特許出願、平成１１年１１月５日設定登録）の請求項１及び請求項２に係る発明は、その特許請求の範囲の請求項１及び請求項２に記載された次のとおりのものと認める。
　「【請求項１】　景品収納部は、底面は一部切欠され、前面及び天井面は開口されており、複数個の上記景品収納部を着脱される景品払出機への着脱方向に沿って一列に並べたことを特徴とする景品払出機用カートリッジ。
　「【請求項２】　景品収納部は、底面は一部切欠され、前面及び天井面は開口されており、複数個の上記景品収納部を着脱される景品払出機への着脱方向に沿って一列に並べるとともに、景品払出機への装填時に、景品払出機に設置された誤挿入防止ピンと一致する位置に誤挿入防止ピン挿入口が設けられたことを特徴とする景品払出機用カートリッジ。」
２．申立ての理由の概要
　特許異議申立人グローリー工業株式会社は、証拠として甲第１号証（特開平２−１６５２９６号公報）、甲第２号証（実願昭５０−５３７４３号（実開昭５１−１３３２９４号）の願書に添付した明細書及び図面の内容を撮影したマイクロフィルム）、甲第３号証（特開昭６２−１５７９９４号公報）及び甲第４号証（実願平２−１１００８号（実開平３−１０１５９１号）の願書に添付した明細書及び図面の内容を撮影したマイクロフィルム）を提出し、本件請求項１及び請求項２に係る特許は次の理由により取り消すべきである旨主張している。
（１）本件請求項１に係る発明は、甲第１号証に対して甲第２号証或いは甲第３号証を組み合わせることにより、当業者が容易に発明をすることができたものであるから、この特許は特許法第２９条第２項の規定に違反してされたものである。
（２）本件請求項２に係る発明は、甲第１号証に対して甲第２号証或いは甲第３号証を組み合わせ、さらに甲第４号証を組み合わせることにより、当業者が容易に発明をすることができたものであるから、この特許は特許法第２９条第２項の規定に違反してされたものである。
    　　　　　　　
３．異議申立人が提出した甲号各証の記載事項
甲第１号証には、次の事項が記載されている。
ア「パチンコ店において獲得したパチンコ玉やメダルと交換される景品等の物品を投出する物品投出機に関する。」（第１頁右欄第１２行〜第１４行）イ「前記カセット１１は、第６図および第７図に示すように、一対のカセット枠１２，１３を有し、これらのカセット枠１２，１３の前面板１２ａ，１３ａ、側面板１２ｂ，１３ｂおよび後面板１２ｃ，１３ｃ間で、矩形状の物品Ａを重積状態で収納する矩形筒状の物品収納空間１４を形成している。」（第３頁右上欄第１７行〜左下欄第２行）
ウ「その両カセット枠１２，１３の両側面板１２ｂ，１３ｂの下端に物品収容空間１４の内方に突出して物品Ａの両長辺縁部を支持する支持板１２ｄ，１３ｄが設けられ、この支持板１２ｄ，１３ｄ間にスリット１６が形成されていると共に、両面板１２ａ，１３ａ間に物品Ａの重積方向に沿ってスリット１７が形成されている。」（第３頁左下欄第５行〜第１１行）
エ「ついで、リフト機構６１のモータ７０が駆動され、上昇される昇降台６５によって物品Ａが押上口７８を通じて押出台７７の上方に押上げられる。」（８頁左上欄第９行〜第１１行）
オ「回転ドラムから外した状態でカセットに物品を重積収納し、このカセットを回転ドラムに装着するため、物品の収納作業が容易に行なえる」（第１０頁左下欄第２０行〜右下欄第３行）
甲第２号証には、次の事項が記載されている。
カ「正面側の前記短辺（２）には、長手方向にそわせて奥の深い挿入孔（４）が形成されている。この挿入孔（４）には細長く形成された硬貨収納ブロック（５）が挿入されるもので、その装脱作業は正面側より行なわれる。そして、前記硬貨収納ブロック（５）には円形で上下方向に長い硬貨収納筒部（６）が長手方向にそわせて複数本並列されている。」（第３頁第１２行〜第１９行）
甲第３号証には、次の事項が記載されている。   
キ「紙幣収納出入部３は、機体１の下部に一括引出枠体１４１が第１図に二点鎖線で示す位置まで引出し可能に設けられ、この一括引出枠体１４１の引出し方向前部側にはこの一括引出枠体１４１に対し独立に引出せる一括引出枠体１４１上で引出し移動できる金庫引出枠体１４２が設けられ、この枠体１４２に対し金庫１５が着脱可能に設けられている。そしてこの機体１の一括引出枠体引出し用開口部１６は、第３図示のように扉１７で開閉されるようになっている。金庫１５の上部はシャッタ板１８により開閉されるようになっており、第３図示のように引き出された金庫引出枠体１４２上へ金庫１５を上方から挿入し、この金庫１５が挿入された金庫引出枠体１４２を第１図実線位置へ挿入することによりこのシャッタ板１８は図示しない機構によりロックが解かれて手動開放され、また金庫引出枠体１４２の引出し時にはシャッタ板１８を手動で閉じることにより金庫引出枠体１４２の引き出しが可能となり、この金庫引出枠体１４２を引き出すとシャッタ板１８の施錠がなされるようになっている。金庫１５の内部には、第１収納部３１と、第２収納部３２と、これらの間にリジェクト紙幣収納部３３とが設けられている。」（第３頁右下欄第９行〜第４頁左上欄第１３行）
ク「正券紙幣を各金種別収納部３４、３５、３６へ補充する場合には、金庫１５のロックを解いてシャッター板１８を開らき、第１収容部３１内に補充紙幣として正券紙幣を詰め、再びシャッター板１８を閉じて機体１の処へ持ち運び、扉１７を開けて金庫引出枠体１４２の引き出し後その枠体上に金庫１５を上方から装着し、この枠体１４２を機体１へ挿入する。この挿入動作によりシャッター板１８のロックが解かれ手動でこのシャッタ板１８を開放することにより補充可能な状態となる。」（第７頁左上欄第１２行〜右上欄第１行）
甲第４号証には、次の事項が記載されている。 
ケ「複数個の挿入機材を筺体の複数個の被挿入部に個別に収納する機材収納装置において、挿入機材と被挿入部のいずれか一方に互いに位置の異なるガイドピンを設け、他方に互いに位置の異なるガイドホールを設けたことを特徴とする誤挿入防止機構付機材収納装置。」（実用新案登録請求の範囲）
４．対比・判断
　上記記載及び図面からみて、甲第１号証には、「物品投出機に着脱されるカセットであって、底面が−部切欠されるとともに前面及び上面の開口された物品収納空間を有するカセット」が記載されていると認める。
　ここで、本件請求項１に係る発明と甲第１号証に記載された発明とを対比すると、甲第１号証に記載の発明の「物品投出機」、「カセット」が本件請求項１に係る発明の「景品払出機」、「カートリッジ」に相当するから、両者は、「底面は一部切欠され、前面及び天井面は開口された景品収納部を備えた景品払出機用カートリッジ」である点で一致するが、後者は、前者の「複数個の景品収納部を着脱される景品払出機への着脱方向に沿って一列に並べた」構成を備えていない。
　この点について、甲第２号証には、釣銭機の本体ケースに挿入される、複数の硬貨収納筒部を長手方向に沿わせて並列させた硬貨収納ブロックが、甲第３号証には、循環式紙幣入出金機の機体に挿入される、複数個の紙幣収納部を前後方向に沿って並設した金庫が記載されているが、甲第１号証に記載された発明は、回転ドラムに複数のカセットを装着しており、カセットに複数の収納部を設けるという思想はなく、したがって、甲第２号証及び甲第３号証に着脱される装置への着脱方向に沿って一列に設置された硬貨収納ブロックや金庫が記載されていたとしても甲第１号証に記載された発明に甲第２号証あるいは甲第３号証記載の技術を適用して、上記相違点における本件請求項１に係る発明のように構成することは当業者といえども容易ではない。
　そして、本件請求項１に係る発明は、特許明細書記載の効果を奏するものであるから、本件請求項１に係る発明が、甲第１号証乃至甲第３号証に記載された発明に基づいて当業者が容易に発明をすることができたものであるとは認められない。
　つぎに、本件請求項２に係る発明は、請求項１に係る発明を更に限定したものであるところ、本件請求項２に係る発明と甲第１号証に記載された発明とは、上記したとおりの構成が相違しており、甲第４号証に誤挿入防止ピンと誤挿入防止ピン挿入口に係る発明が記載されていても、本件請求項２に係る発明は甲第１号証乃至甲第４号証に記載された発明に基づいて、当業者が容易に発明をすることができたものであるとは認められない。
５．むすび
　以上のとおりであるから、特許異議申立ての理由によっては、本件請求項１及び２に係る特許を取り消すことはできない。
　また、他に本件請求項１及び２に係る特許を取り消すべき理由を発見しない。
　よって、結論のとおり決定する。
【異議決定日】
平成１３年５月８日（２００１．５．８）